(57)【要約】【課題】本発明の課題は、携帯電話を接続して他の携帯電話と通話できる通信端末装置において、他の携帯電話と通話中に第３者の携帯電話からの着信を受けて通話先を適時、切替えて通話を行う、いわゆるキャッチホン通話を確実に制御し得る制御方法を提供することである。【解決手段】キャッチホン通話中の状態を、1台が通話中でもう1台が着信割込み発信中となる第１の状態と、１台が通話状態でもう1台が待機状態となる第２の状態と、1台が通話を完了してもう1台がまだ待機状態となっている第３の状態、とに分類し、前記通信端末装置或いは該装置に接続された携帯電話のオンフック或いはオフフックボタン操作に対して前記３つの状態の何れかに遷移させるように制御する。【選択図】図４
2005277788.tif 000002
【特許請求の範囲】
【請求項１】
通信端末装置と第１の携帯電話を接続し、第２及び第３の携帯電話と通話を行う通信端末装置の制御方法において、キャッチホン通話の状態として、第１の携帯電話と第２又は第３の携帯電話が通話中で第３又は第２の携帯電話が着信割込み発信中の第１の状態と、第１の携帯電話と第２又は第３の携帯電話が通話中で第３又は第２の携帯電話が待機状態となる第２の状態と、第１の携帯電話と第２又は第３の携帯電話との通話が完了し、第３又は第２の携帯電話が待機状態となる第３の状態を備え、前記通信端末装置或いは該装置に接続された第１の携帯電話の発信ボタン或いは終話ボタンの操作に対して前記第１又は第２の状態にあるときは第１乃至第３の何れかの状態に遷移し、第３の状態にあるときは２つの携帯電話の通話状態又は通話の終了状態に遷移することを特徴とする通信端末装置の制御方法。
【請求項２】
請求項１の制御方法において、前記第１の状態にあるとき通信端末装置又は第１の携帯電話の発信ボタンを操作すると、第２の状態に遷移し、終話ボタンを操作すると、第３の状態に遷移することを特徴とする通信端末装置の制御方法。
【請求項３】
請求項１の制御方法において、前記第２の状態にあるとき通信端末装置又は第１の携帯電話の発信ボタンを操作する、と第１の携帯電話と第３又は第２の携帯電話が通話中で第２又は第３の携帯電話が待機状態となる第２の状態になり、終話ボタンを操作すると、第３の状態に遷移することを特徴とする通信端末装置の制御方法。
【請求項４】
請求項１の制御方法において、前記第３の状態にあるとき通信端末装置又は第１の携帯電話の発信ボタンを操作すると、第１の携帯電話と待機状態の第３又は第２の携帯電話との通話可能状態となり、終話ボタンを操作すると第１の携帯電話と待機中の第３又は第２の携帯電話との通話が終了状態になるように遷移することを特徴とする通信端末装置の制御方法。
【発明の詳細な説明】
【技術分野】
【０００１】
本発明は携帯電話を接続して他の携帯通話と通話を行うことができる通信端末装置の制御方法に係り、特に、他の携帯電話との通話中において第３者の携帯電話による着信を許可し、第３者の携帯電話との通話に切替えることができる機能、いわゆるキャッチホン通話機能における通信端末装置の制御方法に関するものである。
【背景技術】
【０００２】
近年、通信端末装置と第１の携帯電話を接続し、該第１の携帯電話のボタンを操作せずに第２の携帯電話等からの着信を受け取り、第２の携帯電話との通話が行える通信端末装置（例えば、ナビゲーション装置）が普及してきている。こうした通信端末装置の中には、その装置に設けられたボタンを操作することでも発信することができるもの、或いはハンズフリーで第２の携帯電話と通話ができるもの、更には第２の携帯電話との通話中にそれとは別の第３の携帯電話からの着信を受けて、第３の携帯電話との通話を行ったりすることができるもの、いわゆるキャッチホン通話機能を持ったもの等が出てきている。
【０００３】
図１はキャッチホン通話機能を説明するための説明図で、１は車載ナビゲーション装置等の通信端末装置で、通信の開始ボタン７及び終了ボタン８を有する。２、３及び４はそれぞれ第１、第２及び第３の携帯電話で、それぞれオンフックボタン５ａ、５ｂ、５ｃ及びオフフックボタン６ａ、６ｂ、６ｃを有する。
【０００４】
図は、通信端末装置１が第１の携帯電話２と接続され、第２の携帯電話３と通話中に、第３の携帯電話４から第１の携帯電話２にキャッチホン割込み９があった状況を示しており、このときは第１の携帯電話２と第３の携帯電話４との間で通話が可能になる。
【発明の開示】
【発明が解決しようとする課題】
【０００５】
通常、キャッチホン通話については、携帯電話同士の通信仕様があるだけで、上述のように通信端末装置と携帯電話を接続し、通信端末装置でのボタン操作が加わった場合については特に明確な仕様はない。従って、このような場合は各携帯電話の状態を全て考慮する必要があるため、操作及び制御方法が非常に複雑なものになっていた。
【０００６】
本発明は上述の点に鑑み、煩雑な携帯電話の状態を通信端末装置から見た状態で分類、管理し、携帯電話と接続した通信端末装置と、他の携帯電話との間でのキャッチホン通話を確実に行い得る通信制御方法を提供することを目的とする。
【課題を解決するための手段】
【０００７】
上記の目的を達成するために本発明は通信端末装置と第１の携帯電話を接続し、第２及び第３の携帯電話と通話を行う通信端末装置の制御方法において、キャッチホン通話の状態として、第１の携帯電話と第２又は第３の携帯電話が通話中で第３又は第２の携帯電話が着信割込み発信中の第１の状態と、第１の携帯電話と第２又は第３の携帯電話が通話中で第３又は第２の携帯電話が待機状態となる第２の状態と、第１の携帯電話と第２又は第３の携帯電話との通話が完了し、第３又は第２の携帯電話が待機状態となる第３の状態を備え、前記通信端末装置或いは該装置に接続された第１の携帯電話の発信ボタン或いは終話ボタンの操作に対して前記第１又は第２の状態にあるときは第１乃至第３の何れかの状態に遷移し、第３の状態にあるときは２つの携帯電話の通話状態又は通話の終了状態に遷移するようにしたことに一つの特徴がある。
【発明の効果】
【０００８】
本発明は、キャッチホン通話中の状態を、1台が通話中でもう1台が着信割込み発信中となる第１の状態と、１台が通話状態でもう1台が待機状態となる第２の状態と、1台が通話を完了してもう1台がまだ待機状態となっている第３の状態とに分類し、前記通信端末装置あるいは該装置に接続された携帯電話のオンフック或いはオフフックボタン操作に対して状態遷移させるように制御するものであるから、キャッチホン通知における状態が整理され、通信端末装置に接続された携帯電話を含む各携帯電話を確実に制御できるようになる。
【発明を実施するための最良の形態】
【０００９】
本発明を実施するための最良の形態を以下実施例により説明する。
【実施例】
【００１０】
図２は本発明にかかる通信端末装置の基本構成を示す。同図で通信端末装置１は中央処理装置（以下、ＣＰＵと略す）１１、リードオンリーメモリ（以下ＲＯＭと略す）１２、ランダムアクセスメモリ（以下ＲＡＭと略す）１３、入力部１４、表示部１５及びインタフェース部１６を有し、これらはバス１７によって相互に結合されている。
【００１１】
ＲＯＭ１２には通信端末装置１のＯＳや、モデムソフト、各種アプリケーションソフト等が格納されている。ＲＯＭ１２に代えてフラッシュメモリ等の不揮発性のメモリを用いることもできる。ＲＡＭ１３は各種のソフトの実行の際にワークエリア等として使用される領域で、高速に情報の書き込みや読み出しが可能なシンクロナスＤＲＡＭ等のメモリである。入力部１４は他の携帯電話への発信（オフフック）、終話（オンフック）を指示する場合などに用いられる。
【００１２】
表示部１５にはユーザが入力部１４にて入力したデータ、例えば発信先の電話番号などが表示される。また、インタフェース部１６には、携帯電話２が接続される。携帯電話とのインタフェースとしては、ＰＤＣ用の１６芯とｃｄｍａＯｎｅ用の１８芯のものなどがあるが、図２はＰＤＣ用の１６芯のインタフェースを示した。
【００１３】
図３はＰＤＣ用の１６芯のインタフェースにおける各端子の名称及び各端子の役割を示す。同図における上りシリアル信号及び下りシリアル信号を伝送するための端子Ｐ６、Ｐ７がライン３４、３３を介してＣＰＵ１１のシリアル端子に接続され、携帯機操作部制御信号（１）及び携帯機操作部制御信号（２）を伝送するための端子Ｐ１２及びＰ１３がライン３１、３２を介してＣＰＵ１１のＩ／Ｏ端子に接続される。
【００１４】
上りシリアル信号端子Ｐ６は、通信端末装置１から携帯電話２に送られてくる要求（コマンド）を受信するための携帯電話２側の端子であり、下りシリアル端子Ｐ７は逆に、携帯電話２から通信端末装置１へ応答（メッセージ）を伝送するための携帯電話２側の端子である。一方、携帯機操作部制御信号（１）及び（２）の端子Ｐ１２及びＰ１３は、通信端末装置１から携帯電話２を制御する信号を受信するための端子であり、携帯電話２のオン・オフを制御する信号等の受信に用いられる。
【００１５】
図４は通信端末装置１から見た各携帯電話（通信端末装置に接続された携帯電話を除く）の状態を説明するための図であり、本発明では次のＳ１〜Ｓ５の状態を定義している。
【００１６】
まずＳ１は２者通話中の状態を示し、第１図で例示すれば、接続した携帯電話２を介して他の携帯電話３と通話を行っている状態であり、他に保留状態にある携帯電話がない場合を示す。
【００１７】
Ｓ２は割込み着信中の状態であり、２者通話中に第３者の携帯電話から着信が入った状態を示す。図１で例示すれば、通信端末装置１が携帯電話２を介して携帯電話３と通話中に他の携帯電話４から着信が入った状態である。
【００１８】
Ｓ３はキャッチ切替通話中の状態であり、２者通話中と同じく別の携帯電話と通話中で且つ保留状態にある携帯電話がある状態を指す。第１図で例示すれば、通信端末装置１が携帯電話２を介してキャッチホン割込みのあった携帯電話４と通話をしており、その間携帯電話３が保留されているような状態である。
【００１９】
Ｓ４は保留呼保留中又は着信呼着信中の状態であり、通話中の携帯電話がなく、待機している携帯電話だけがある状態を示す。この場合待機中の携帯電話は保留中か、或いは割込み着信中であるかを問わない。
【００２０】
Ｓ５は通話終了の状態であり、文字通り完全に通話が終了した状態、つまり通話中の電話も保留中の電話もない状態を示す。
【００２１】
次に本発明に係る通信端末装置の制御方法の一実施例について図４〜図７を用いて説明する。なお、本実施例では図１に示すように通信端末装置１には開始（発信）ボタン７及び終了（終話）ボタン８を設けており、同様に携帯電話２にはオフフック（発信）ボタン５ａとオンフック（終話）６ａボタンが備わっている。
【００２２】
２者通話中の状態Ｓ１では、終了ボタン８或いはオンフックボタン６ａを押すこと（Ｃ１５）で通話終了の状態Ｓ５となるが、開始ボタン７或いはオフフックボタン５ａを押しても何も変わらない。
【００２３】
図５に示すように携帯電話２と３が通話中に、携帯電話４から携帯電話２に対して発信信号Ｓ１０２が送られると、網１０から携帯電話２に呼設定信号Ｓ１０４が送られ、それを受けた携帯電話２から通信端末装置１に通話中着信通知Ｓ１０６が送られ、割込着信中の状態Ｓ２となる。
【００２４】
次に割込着信中の状態Ｓ２で、終了ボタン８或いはオンフックボタン６ａが押され（Ｃ２４）、携帯電話２と３との通話が終了すると、保留呼保留中／着信呼着信中の状態Ｓ４に遷移する。一方、Ｓ２の状態で開始ボタン７或いはオフフックボタン５ａが押されると（Ｃ２３）、図５に示すように通信端末装置１から携帯電話２に対してフッキングＳ１０８が送られ、携帯電話２から網１０に対して、応答信号Ｓ１１０が送られ、それに対して網１０から携帯電話２に付加情報信号Ｓ１１２が返ってくる。すると携帯電話２は通信端末装置１に対して、３者通話表示ＯＮ信号Ｓ１１４を送信し、キャッチ切替通話中の状態Ｓ３になる。つまり、携帯電話３は保留中となり、携帯電話２と携帯電話４とが通話できるようになる。
【００２５】
キャッチ切替通話中の状態Ｓ３で、終了ボタン８或いはオンフックボタン６ａが押されることで通話を終了すると（Ｃ３４）、保留呼保留中／着信呼着信中の状態Ｓ４に遷移する。
【００２６】
一方、キャッチ切替通話中の状態Ｓ３、例えば図６に示すように携帯電話２と３が通話中で、携帯電話２と４との間は保留中であるような場合に開始ボタン７或いはオンフックボタン５ａが押されると（Ｃ３３）、まず通信端末装置１から携帯電話２に対してフッキングＳ１０８が送られ、携帯電話２から網１０に対して付加情報信号Ｓ１１２が送信され、通話先の携帯電話が切り替わる。つまり携帯電話２と４が通話、携帯電話２と３は保留になる。
【００２７】
また、保留呼保留中／着信呼着信中の状態Ｓ４で、更に終了ボタン８或いはオンフックボタン６ａが押されると（Ｃ４５）、保留中或いは着信中の携帯電話からの発信が中止され、通話終了の状態Ｓ５に遷移する。
【００２８】
逆に、保留呼保留中／着信呼着信中の状態Ｓ４で開始ボタン７或いはオフフックボタン５ａが押された場合（Ｃ４１）、例えば図７に示すように携帯電話２と３との通話が終了し、携帯電話２と４が保留中の時に開始ボタン７を押すと、まず通信端末装置１から携帯電話２に対してフッキングＳ１０８が送られ、携帯電話２から網１０へ、更に網１０から携帯電話４に対して応答信号Ｓ１１０が送られていく。その後、携帯電話４から逆に網１０を介して携帯電話２へ応答確認信号Ｓ１１６が返され、それを受けた携帯電話２が通信端末装置１に対して通話中表示ＯＮ信号Ｓ１１８を送ることで、保留中或いは着信中だった携帯電話４との通話ができる状態、つまり２者通話中の状態Ｓ１になる。
【００２９】
上述の図５〜図７のシーケンスに従って通信装置１、携帯電話２，３，４を制御するための制御プログラムは図２のＲＯＭ１２に格納されており、ＣＰＵ１１がこれを実行する。
【００３０】
上記の制御方法によればキャッチホン通話の状態が、図５に示すように携帯電話２と３とが通話中で携帯電話４が割込み発信をした第１の状態と、同図のように携帯電話２と４が通話し、携帯電話３が保留中であるような第２の状態と、図７のように携帯電話２と３の通話が終了し、携帯電話４が待機状態となっている第３の状態に分離し、通信端末装置の開始、終了ボタンまたはそれに接続された携帯電話のオンフック、オフフックボタンの操作に対して３つの状態の何れかまたは２者間の通話或いは終了の状態に遷移させるだけであるからその制御が簡素化され、且つ確実に行うことが可能となる。
【００３１】
即ち、前記第１の状態にあるとき通信端末装置又は第１の携帯電話の開始ボタン（オフフックボタン）を操作すると第２の状態に遷移し、終了ボタン（オンフックボタン）を操作すると第３の状態に遷移する。また前記第２の状態にあるとき通信端末装置又は第１の携帯電話の開始ボタン（オフフックボタン）を操作すると通話中の電話と待機中の電話が入れ替わる第２の状態になり、終了ボタン（オンフックボタン）を操作すると第３の状態に遷移する。また、前記第３の状態にあるとき通信端末装置又は第１の携帯電話の開始ボタン（オフフックボタン）を操作すると第１の携帯電話と、待機状態の携帯電話との通話可能状態となり、終了ボタン（オンフックボタン）を操作すると第１の携帯電話と待機中の携帯電話との通話が終了状態になるように遷移する。
【図面の簡単な説明】
【００３２】
【図１】キャッチホン通話における通信端末装置と携帯電話の接続を示す概念図。
【図２】本発明にかかる通信端末装置の内部構成例を示すブロック図。
【図３】本発明の通信端末装置に接続する携帯電話の端子名称とその役割を示す説明図。
【図４】本発明のキャッチホン通話制御における携帯電話の状態遷移を示す図。
【図５】本発明のキャッチホン通話制御における携帯電話間の通信データを示す図。
【図６】本発明のキャッチホン通話制御における携帯電話間の通信データを示す図。
【図７】本発明のキャッチホン通話制御における携帯電話間の通信データを示す図。
【符号の説明】
【００３３】
１：通信端末装置
２，３，４：携帯電話
５ａ，５ｂ，５ｃ：オンフックボタン
６ａ，６ｂ，６ｃ：オフフックボタン
７：開始ボタン
８：終了ボタン
９：キャッチホン割込み
１０：網（携帯電話網）
１１：ＣＰＵ
１２：ＲＯＭ
１３：ＲＡＭ
１４：入力部
１５：表示部
１６：インタフェース部
【図１】
2005277788.tif 000003
【図２】
2005277788.tif 000004
【図３】
2005277788.tif 000005
【図４】
2005277788.tif 000006
【図５】
2005277788.tif 000007
【図６】
2005277788.tif 000008
【図７】
2005277788.tif 000009